(57)【要約】【課題】コンタクトやガイドモジュールの破損が発生しないコネクタ、カードエッジコネクタ、及び電子機器を提供することを課題とする。【解決手段】ガイドピン１１３を備えたコネクタ１０５であって、ガイドピン１１３の先端部に、ガイドピン１１３が挿入されるガイドモジュール１１７上を転動可能なボール（回転体）１２１を設けたり、ガイドピンの先端部分は略テーパ状をなし、先端部分の表面に、ガイドモジュール上を転動可能な回転体を設け、コンタクトやガイドモジュールの破損を防止する。【選択図】図１
2009043693.tif 000002
【特許請求の範囲】
【請求項１】
ガイドピンを備えたコネクタであって、
前記ガイドピンの先端部に、前記ガイドピンが挿入されるガイドモジュール上を転動可能な回転体を設けたことを特徴とするコネクタ。
【請求項２】
ガイドピンを備えたコネクタであって、
前記ガイドピンの先端部分は略テーパ状をなし、前記先端部分の表面に、前記ガイドモジュール上を転動可能な回転体を設けたことを特徴とするコネクタ。
【請求項３】
請求項１又は２記載のコネクタが設けられたことを特徴とする配線板。
【請求項４】
エッジコネクタが接続されるエッジコネクタソケットであって、
前記エッジコネクタが差し込まれる差し込み口の開口近傍の内壁面の前記エッジコネクタのコンタクトと干渉しない位置に、前記エッジコネクタが接触すると回転する回転体を設けたことを特徴とするエッジコネクタソケット。
【請求項５】
請求項３記載のエッジコネクタソケットが設けられたことを特徴とする配線板。
【請求項６】
請求項１乃至５のいずれかに記載のコネクタ、配線板、エッジコネクタソケットを有することを特徴とする電子機器。
【発明の詳細な説明】
【技術分野】
【０００１】
本発明は、ガイドピンを備えたコネクタ、該コネクタが設けられた配線板、エッジコネクタが挿入される差し込み口を有するエッジコネクタソケット、該エッジコネクタソケットが設けられた配線板、電子機器に関する。
【背景技術】
【０００２】
図５に示すように、電子機器１には、外部ユニット３と相互接続するために、電子機器１と外部ユニット３とにコネクタ５、７が設けられる。そして、コネクタ５、７同士が正しく簡単に接続できるように、一方のコネクタ５側に設けられたガイドピン９と、他方のコネクタ７側に設けられ、ガイドピン９が挿入される穴が形成されたガイドモジュール１１とからなるガイド機構が設けられる場合がある（例えば、特許文献１参照）。
【特許文献１】特開９−２８３２１４号公報（図１、図５）
【発明の開示】
【発明が解決しようとする課題】
【０００３】
しかし、図５において、ガイドピン９と、ガイドモジュール１１とからなるガイド機構があっても、極端にずれた状態でコネクタ同士を接続しようとすると、図６、図７に示すような問題点が発生する。
（１）図６：外部ユニット３の挿入方向と直交する平面内での位置精度がでていない場合（図においては上下方向にずれている）
ガイドピン９の先端部がガイドモジュール１１の穴１１ａの開口周辺の平坦部１１ｂに当接し、さらに外部ユニット３を挿入すると、ガイドモジュール１１やコネクタ７内のコンタクト７ａが破損する。
（２）図７：外部ユニット３を電子機器１に対して斜めに挿入する場合
ガイドピン９の先端部がガイドモジュール１１の穴１１ａの内壁面の開口近傍のテーパ部１１ｃを押し、ガイドモジュール１１やコネクタ７内のコンタクト７ａが破損する。
【０００４】
本発明は、上記問題点に鑑みてなされたもので、その課題は、コネクタを接続する際に、コンタクトやガイドモジュールの破損が発生しないコネクタ、カードエッジコネクタ、及び電子機器を提供することにある。
【課題を解決するための手段】
【０００５】
上記課題を解決する請求項１に係る発明は、ガイドピンを備えたコネクタであって、前記ガイドピンの先端部に、前記ガイドピンが挿入されるガイドモジュール上を転動可能な回転体を設けたことを特徴とするコネクタである。
【０００６】
請求項２に係る発明は、ガイドピンを備えたコネクタであって、前記ガイドピンの先端部分は略テーパ状をなし、前記先端部分の表面に、前記ガイドモジュール上を転動可能な回転体を設けたことを特徴とするコネクタである。
【０００７】
請求項３に係る発明は、請求項１又は２記載のコネクタが設けられたことを特徴とする配線板である。
請求項４に係る発明は、エッジコネクタが接続されるエッジコネクタソケットであって、前記エッジコネクタが差し込まれる差し込み口の開口近傍の内壁面の前記エッジコネクタのコンタクトと干渉しない位置に、前記エッジコネクタが接触すると回転する回転体を設けたことを特徴とするエッジコネクタソケットである。
【０００８】
請求項５に係る発明は、請求項３記載のエッジコネクタソケットが設けられたことを特徴とする配線板である。
請求項６に係る発明は、請求項１乃至５のいずれかに記載のコネクタ、配線板、エッジコネクタソケットを有することを特徴とする電子機器である。
【発明の効果】
【０００９】
請求項１−３、請求項６に係る発明によれば、前記ガイドピンの先端部に、前記ガイドピンが挿入されるガイドモジュール上を転動可能な回転体を設けたことにより、極端にずれた状態で、ガイドピンの先端がガイドモジュールの穴の開口周辺の平坦部や、ガイドモジュールの穴の内壁面の開口近傍に当接しても、回転体がガイドモジュール上を転動し、ガイドピンとガイドモジュールとがスームズに相対移動し、ガイドピンはガイドモジュールに挿入され、コンタクトやガイドモジュールが破損しない。
【００１０】
請求項４−６に係る発明によれば、前記エッジコネクタが差し込まれる差し込み口の開口近傍の内壁面の前記エッジコネクタのコンタクトと干渉しない位置に、前記エッジコネクタが接触すると回転する回転体を設けたことにより、極端にずれた状態で、エッジコネクタの先端がエッジコネクタソケットの差し込み口に挿入されても、差し込み口の開口近傍の内壁面に設けられた回転体上を滑りながらエッジコネクタが移動し、エッジコネクタソケットに接続され、コンタクトや、エッジコネクタ、エッジコネクタソケットが破損しない。
【発明を実施するための最良の形態】
【００１１】
＜第１の実施の形態例＞
図１に示すように電子機器１０１には、外部ユニット１０３と相互接続するために、電子機器１０１と外部ユニット１０３とにコネクタ１０５、１０７が設けられる。一方のコネクタ１０５には、オスコンタクト１０９が、他方のコネクタ１０７にはオスコンタクト１０９が係脱するメスコンタクト１１１が設けられている。
【００１２】
そして、コネクタ１０５、１０７同士が正しく簡単に接続できるように、一方のコネクタ１０５の両サイドには、ガイドピン１１３が設けられ、他方のコネクタ１０７の両サイドには、ガイドピン１１３が挿入される穴１１５が形成されたガイドモジュール１１７が設けられている。
【００１３】
本形態例のガイドピン１１３の先端部分は、略テーパ状をなし、先端部には、かしめによりボール（回転体）１２１が埋め込まれれている。
このような構成によれば、極端にずれた状態で、ガイドピン１１３の先端がガイドモジュール１１７の穴１１５の開口周辺の平坦部や、ガイドモジュール１１７の穴１１５の内壁面の開口近傍に当接しても、ボール１２１がガイドモジュール１１７上を転動し、ガイドピン１１３とガイドモジュールと１１７がスームズに相対移動し、ガイドピン１１３はガイドモジュール１１７の穴に挿入され、コンタクト１０９、１１１やガイドモジュール１１７が破損しない。
【００１４】
尚、本発明は、上記形態例に限定するものではない。上記形態例ではガイドピン１１３の先端にボール１２１を埋め込んだが、図２に示すように、テーパ状となったガイドピン１１３’の先端部分の周面に、ガイドモジュール１１７上を転動可能な複数のボール１２３を埋め込んでも良い。又、ボール１２３に限定するものではなく、ボール１２３の代わりに円筒状のローラであってもよい。
【００１５】
更に、上記形態例では、コネクタ１０５は電子機器１０５に設けられている例で説明を行ったが、配線板に設けてもよい。
＜第２の実施の形態例＞
図３に示すように、一方の配線板２０１の縁部には複数のコンタクト２０３が設けられ、エッジコネクタ２０５となっている。他方の配線板２１１には、エッジコネクタ２０５が接続されるエッジコネクタソケット２１３が設けられている。
【００１６】
図３の切断線Ａ−Ａにおける断面図である図４に示すように、エッジコネクタソケット２１３には、エッジコネクタ２０５が差し込まれる溝状の差し込み口２１５が形成されている。この差し込み口２１５の内部には、差し込まれたエッジコネクタ２０５のコンタクト２０３に電気的に接続する可撓性のコンタクト２１７が設けられている。
【００１７】
差し込み口２１５の開口２１７近傍の内壁面には、エッジコネクタ２０５のコンタクト２０３と干渉しない位置に、エッジコネクタ２０５が接触すると回転するボール（回転体）２２１が埋め込まれている。
【００１８】
このような構成によれば、極端にずれた状態で、エッジコネクタ２０５の先端がエッジコネクタソケット２１３の差し込み口２１５に挿入されても、差し込み口２１５の開口２１７近傍の内壁面に設けられたボール２２１上を滑りながらエッジコネクタ２０５が移動し、エッジコネクタ２０５のコンタクト２０３と、エッジコネクタソケット２１３のコンタクト２１７とが電気的に接触し、エッジコネクタ２０５は、エッジコネクタソケット２１３に接続され、コンタクト２１７、エッジコネクタ２０５，エッジコネクタソケット２１３が破損しない。
【００１９】
尚、本発明は、上記形態例に限定するものではない。上記形態例ではエッジコネクタソケット２１３にボール２２１を埋め込んだが、ボール２２１の代わりに円筒状のローラであってもよい。
【００２０】
更に、上記形態例では、エッジコネクタソケット２１３は配線板２１１に設けられている例で説明を行ったが、電子機器に設けてもよい。
【図面の簡単な説明】
【００２１】
【図１】第１の形態例を説明する構成図である。
【図２】第１の形態例の他の形態例を示す図である。
【図３】第２の形態例のエッジコネクタソケットを説明する斜視図である。
【図４】図３の切断線Ａ−Ａでの断面図である。
【図５】コネクタの接続を説明する図である。
【図６】図５に示すコネクタの接続の問題点を示す図である。
【図７】図５に示すコネクタの接続の問題点を示す図である。
【符号の説明】
【００２２】
１０５、１０７  コネクタ
１０９  オスコンタクト
１１１  メスコンタクト
１１３  ガイドピン
１１５  穴
１１７  ガイドモジュール
【図１】
2009043693.tif 000003
【図２】
2009043693.tif 000004
【図３】
2009043693.tif 000005
【図４】
2009043693.tif 000006
【図５】
2009043693.tif 000007
【図６】
2009043693.tif 000008
【図７】
2009043693.tif 000009